(57)【特許請求の範囲】
【請求項１】
同一番組を時差を持たせて複数チャンネルで放送するシステムから放送を受信する受信装置であって、
前記複数チャンネルから受信される複数の映像音声データから所望の映像音声データを選択して分離する選択・分離手段と、
分離された前記映像音声データを記録する記憶装置と、
分離された前記映像音声データまたは前記記憶装置に記録された映像音声データの再生を制御する再生制御手段と、
ユーザが再生を中断したときに前記選択された映像音声データの記録を開始し、ユーザが視聴を再開したときに記録された映像音声データを出力する制御を行う記録制御手段とを備え、
再生中断時間の累計が前記時差を越えたとき、前記選択・分離手段は次のシフトの映像音声データを選択、分離し、前記記録制御手段は記録された映像音声データを破棄し、新たに選択、分離された映像音声データの記録を開始することを特徴とする受信装置。
【請求項２】
同一番組を時差を持たせて複数チャンネルで放送するシステムから放送を受信する受信装置であって、
前記複数チャンネルから受信される複数（ｎ：ただしｎは２以上の整数）の映像音声データから所望の映像音声データを選択して分離する選択・分離手段と、
分離された前記映像音声データを記録する記憶装置と、
前記記憶装置に記録された映像音声データの特殊再生を制御する特殊再生制御手段と、
前記選択された映像音声データを記録し、記録された映像音声データの出力を制御する記録制御手段とを備え、
前記記録手段は並列に複数の映像音声データを記録可能であり、
前記映像音声選択分離手段は同一番組の時差放送チャンネルを同時に複数（ｍ：ただしｍはｍ≦ｎを満たす整数）選択し、選択された複数（ｍ）の映像音声データを並列に分離可能であり、
前記記録制御手段は、前記分離された同一番組の時差を有する複数（ｍ）の映像音声データを前記記録手段に並列に記録するよう制御し、さらに記録された前記映像音声データを特殊再生時において時間的に連続するように出力することを特徴とする受信装置。
【請求項３】
前記特殊再生は逆再生であって、
前記記録制御手段は、逆再生時において、記録されたシフトの記録時間分の再生が完了したとき、並列に記録された前記シフトよりも一つ前のシフトの映像音声データに出力の切り替えを行うことにより、前記時間的に連続する出力を行うことを特徴とする請求項２に記載の受信装置。
【請求項４】
前記特殊再生は早送り再生であって、
前記記録制御手段は、早送り再生時において、記録されたシフトの記録時間分の再生が完了したとき、並列に記録された前記シフトよりも一つ後のシフトの映像音声データに出力の切り替えを行うことにより、前記時間的に連続する出力を行うことを特徴とする請求項２に記載の受信装置。
【発明の詳細な説明】
【０００１】
【産業上の利用分野】
本発明は、例えば、ＡＶネットワークシステムやＣＡＴＶシステムにおけるビデオオンデマンドシステム等に利用可能な、受信装置に関するものである。
【０００２】
【従来の技術】
映像のデジタル圧縮技術の発達や、光ファイバーシステム、デジタル変調技術によるＣＡＴＶシステムの多チャンネル化によって、様々な形態のビデオオンデマンドシステムが実用化されつつある。
【０００３】
このようなビデオオンデマンドシステムは、大別するとピュアオンデマンドとニアオンデマンドに分類できる。
【０００４】
前者のピュアオンデマンドは、１つの端末がそれぞれセンターシステムと１対１で通信することを特徴とし、利用者の見たい時間に見たい番組を視聴でき、さらに早送り、巻き戻しなどの特殊再生も実現できるメリットがある。
【０００５】
一方、同一番組を一定時間ずつずらし時差をもたせて複数チャンネルに送り出し、利用者がその中から一番都合の良いチャンネルを選ぶタイムシフト方式に代表されるのが後者のニアオンデマンドであり、これは１つのチャネルを複数の利用者端末が共有できることを特徴とする。
【０００６】
【発明が解決しようとする課題】
しかしながら、ピュアオンデマンドシステムでは通信経路（確保すべき通信チャンネル数等）を端末の数に比例して確保する必要があり、インフラに膨大なコストがかかる。一方、ニアオンデマンドシステムでは端末数ではなく、ビデオ番組の数とタイムシフト数で確保すべき通信チャネル数が決まるため、ピュアオンデマンドに比べ大きくインフラにかかるコストを抑えることができるが、それぞれのチャネルは複数の端末によって共有されているため、待ち時間が発生したり、利用者の極め細かな要望に答えるための特殊再生機能等が実現できないという課題を有していた。
【０００７】
本発明は、このような従来の課題を解決するためになされたもので、インフラにかかるコストを従来に比べてより一層抑えることが出来、しかもビデオオンデマンドの機能を従来に比べてより一層簡易的に実現出来る受信装置を提供することを目的とするものである。
【０００８】
【課題を解決するための手段】
請求項１の本発明は、同一番組を時差を持たせて複数チャンネルで放送するシステムから放送を受信する受信装置であって、前記複数チャンネルから受信される複数の映像音声データから所望の映像音声データを選択して分離する選択・分離手段と、分離された前記映像音声データを記録する記憶装置と、分離された前記映像音声データまたは前記記憶装置に記録された映像音声データの再生を制御する再生制御手段と、ユーザが再生を中断したときに前記選択された映像音声データの記録を開始し、ユーザが視聴を再開したときに記録された映像音声データを出力する制御を行う記録制御手段とを備え、再生中断時間の累計が前記時差を越えたとき、前記選択・分離手段は次のシフトの映像音声データを選択、分離し、前記記録制御手段は記録された映像音声データを破棄し、新たに選択、分離された映像音声データの記録を開始することを特徴とする受信装置である。
【０００９】
請求項２の本発明は、同一番組を時差を持たせて複数チャンネルで放送するシステムから放送を受信する受信装置であって、前記複数チャンネルから受信される複数（ｎ：ただしｎは２以上の整数）の映像音声データから所望の映像音声データを選択して分離する選択・分離手段と、分離された前記映像音声データを記録する記憶装置と、前記記憶装置に記録された映像音声データの特殊再生を制御する特殊再生制御手段と、前記選択された映像音声データを記録し、記録された映像音声データの出力を制御する記録制御手段とを備え、前記記録手段は並列に複数の映像音声データを記録可能であり、前記映像音声選択分離手段は同一番組の時差放送チャンネルを同時に複数（ｍ：ただしｍはｍ≦ｎを満たす整数）選択し、選択された複数（ｍ）の映像音声データを並列に分離可能であり、前記記録制御手段は、前記分離された同一番組の時差を有する複数（ｍ）の映像音声データを前記記録手段に並列に記録する要請御し、さらに記録された前記映像音声データを特殊再生時において時間的に連続するように出力することを特徴とする受信装置である。
【００１０】
請求項３の本発明は、前記特殊再生は逆再生であって、前記記録制御手段は、逆再生時において、記録されたシフトの記録時間分の再生が完了したとき、並列に記録された前記シフトよりも一つ前のシフトの映像音声データに出力の切り替えを行うことにより、前記時間的に連続する出力を行うことを特徴とする請求項２に記載の受信装置である。
【００１１】
請求項４の本発明は、前記特殊再生は早送り再生であって、前記記録制御手段は、早送り再生時において、記録されたシフトの記録時間分の再生が完了したとき、並列に記録された前記シフトよりも一つ後のシフトの映像音声データに出力の切り替えを行うことにより、前記時間的に連続する出力を行うことを特徴とする請求項２に記載の受信装置である。
【００１７】
【実施例】
以下、本発明の好適な実施例について図面を用いて説明する。
【００１８】
図１は、本発明に関連する一実施例の映像音声端末装置のブロック図であり、同図を参照しながら本実施例の構成について説明する。
【００１９】
同図において、１０は伝送路から映像音声データを入力する映像音声入力部、１２は映像音声データを一時的に記録する記憶装置、１３は映像音声入力部１０からの映像音声データの記憶装置１２への書き込みと再生する映像音声データの記憶装置１２からの読み出しを制御する、本発明の記録制御手段としての記録制御回路、１４は映像音声入力部１０から入力される映像音声データもしくは記録制御回路１３によって読みだされた映像音声データを再生装置（図示省略）に出力して再生させる、本発明の再生制御手段としての再生制御回路である。
【００２０】
以上の構成において、図２、図３、及び図４を用いて、本実施例の動作を説明する。
【００２１】
図２は、利用者が番組Ａの最初の３０分は実時間で視聴し、その後一時中断し、再び時差視聴する場合の説明図である。
【００２２】
この場合、まず再生制御回路１４は映像音声入力部１０からの映像音声データを再生する。次に利用者は１５分間視聴を中断する。この時、記録制御回路１３は映像音声入力部１０からの映像音声データを記憶装置１２に記録する。次に利用者が１５分前に視聴を中断したところから視聴を再開し、実際には１５分前に放送され、記憶装置１２に記録された映像音声データを視聴する。
【００２３】
すなわち、この時、記録制御回路１３は映像音声入力部１０からの映像音声データを記憶装置１２に書き込みながらその時刻より１５分前に記録された映像音声データを読みだして再生制御回路１４に出力する。このとき、再生制御回路１４には、記録制御回路１３から出力される映像音声データ及び映像音声入力部１０から出力される映像音声データが入力される。再生制御回路１４は、これら入力されたデータの内、記録制御回路１３から出力される映像音声データを、再生装置に出力して、再生を行わせる。そして利用者は実際の放送に対し１５分遅れで番組Ａの視聴を終了している。
【００２４】
図３は、図２と同様に利用者が時差視聴をし、その後早送り視聴、更に実時間視聴を行う場合の説明図である。
【００２５】
すなわち、利用者は１５分遅れの時差視聴を３０分継続した後、続く３０分に相当する映像音声データを２倍速再生して視聴することにより１５分で視聴し、視聴する映像音声の放送に対する遅れをなくしている。この時、記録制御回路１４は、再生制御装置１４が２倍速で再生するための映像音声データを記憶装置１２より読みだす。そして利用者は番組Ａの最後の３０分を実時間に復帰して視聴している。この時、再生制御回路１４は映像音声入力部１０からの映像音声データを出力し、再生する。
【００２６】
図４は、図３において利用者が早送り視聴する代わりにスキップ視聴を行う場合の説明図である。
【００２７】
すなわち、この場合、同図に示すように、図３において利用者が２倍速視聴する部分で１０分のインターバルにおいて５分視聴し、続く５分を視聴せずにその後に続く５分の映像音声までスキップすることで３０分に相当する映像音声を１５分で視聴し、視聴する映像音声の放送に対する遅れをなくし、番組Ａの最後の３０分を実時間に復帰して視聴している。
【００２８】
このように、本実施例によれば、映像音声を一時的に記録する記憶装置と、前記映像音声入力部から入力される映像音声または前記記憶装置に記録された映像音声を再生する再生制御回路を有し、前記記憶装置に記録された映像音声を再生しているときには前記映像音声入力部から入力される映像音声を前記記憶装置に記録して、映像音声端末装置においてビデオオンデマンドに必要な特殊再生の機能を提供する。すなわち、映像音声端末装置を、一時的に映像音声データを蓄積する記憶装置を設ける構成とすることで、伝送されてくる映像音声信号がタイムシフトされた複数の信号であるか否かを問わず、利用者に対して簡易的なビデオオンデマンド機能を提供できる。
【００２９】
次に、図５は、本発明の請求項１にかかる一実施例の映像音声端末装置のブロック図であり、同図を参照しながら本実施例の構成について説明する。
【００３０】
同図において、１１は内容が相互に所定の時間的ずれを有しながら映像音声伝送路上を伝送されてくる複数の映像音声データから、所望の映像音声データを選択して分離し、出力する、本発明の選択・分離手段としての映像音声選択分離回路、１２は映像音声データを一時的に記録する記憶装置、１３は映像音声選択分離回路１１から出力される映像音声データの記憶装置１２への書き込みと再生する映像音声データの記憶装置１２からの読み出しを制御する、本発明の記録制御手段としての記録制御回路、１４は映像音声入力部１０から入力される映像音声データもしくは記録制御回路１３によって読みだされた映像音声データを再生装置（図示省略）に出力して再生させる、本発明の再生制御手段としての再生制御回路、１５は記憶装置１２に記録されている未再生部分など利用予定のある蓄積しておくべき映像音声データを管理する、本発明の管理手段としての映像音声管理回路である。そして、映像音声管理回路１５は、既に記憶装置１２に蓄えた映像音声データと内容が同一の映像音声データが、次のシフトの放送（２０分遅れで伝送されている放送）から得られると判断したときに、映像音声選択分離回路１１で選択分離される映像音声データを次のシフトの放送に切り替える手段を有する。それは利用者が視聴を中断している間に記憶装置１２に蓄える映像音声データの総量を少なくすることを目的としている。
【００３１】
以上の構成において、図６を用いて本実施例の動作を説明する。
【００３２】
図６に示すように、伝送されてくる複数の映像音声データを放送シフト０と放送シフト１とする。ここで、放送シフト０に対する放送シフト１の伝送の遅れは２０分である。
【００３３】
利用者は番組Ａの最初の３０分は実時間で視聴している。この時、再生制御回路１４は映像音声選択分離回路１１からの映像音声データを再生する。次に利用者は３０分間視聴を中断する。この時、中断中の最初の２０分は記録制御回路１３は映像音声選択分離回路１１からの映像音声データを記憶装置１２に記録する。２０分経過するとその２０分間に記憶装置１２に蓄えられた映像音声データは放送シフト１でもう一度得ることができる。仮に記憶装置１２が２５分の映像音声データしか蓄えられないとすると３０分視聴を中断した場合には５分分の映像音声データが失われる。
【００３４】
そこで映像音声管理回路１５は映像音声選択分離回路１１が選択分離する映像音声データを放送シフト１に切り替え、それまでに蓄えた映像音声データを破棄し、改めて蓄え直す。次に利用者が３０分前に視聴を中断したところから視聴を再開する。実際には放送シフト１で１０分前に放送され、記憶装置１２に記録された映像音声データを視聴する。この時、記録制御回路１３は映像音声入力部１０からの映像音声データを記憶装置１２に書き込みながらその時刻より１０分前に記録された映像音声データを読みだして再生制御回路１４に渡し、再生する。
【００３５】
次に利用者は放送シフト１に対し１０分遅れの時差視聴を４０分継続した後、続く２０分に相当する映像音声を２倍速再生して視聴することにより１０分で視聴し、放送シフト１に対する遅れをなくしている。この時、記録制御回路１４は再生制御装置１４が２倍速で再生するための映像音声データを記憶装置１２より読みだす。そして利用者は番組Ａの最後の３０分を放送シフト１による実時間に復帰して視聴している。この時、再生制御回路１４は映像音声選択分離回路１１からの映像音声データを再生する。
【００３６】
このように、本実施例によれば、映像音声端末装置を、比較的インフラのコストを抑えることができるタイムシフト型ニアオンデマンドシステムと組み合わせることで、必要な記憶装置の容量を節減でき、端末装置を安価に構成できる。
【００３７】
次に、図７は本発明の請求項２〜４にかかる一実施例の映像音声端末装置のブロック図であり、同図を参照しながら本実施例の構成について説明する。
【００３８】
同図において、２１、２２、２３は伝送路から所望の映像音声データを選択して分離する映像音声選択分離回路である。それぞれが選択分離する映像音声データをおのおの映像音声データ２１ａ、映像音声データ２２ａ、映像音声データ２３ａとすると、映像音声データ２１ａ、映像音声データ２２ａ、映像音声データ２３ａは同一の番組のタイムシフトされた映像音声である。ここで、本発明の選択・分離手段は、映像音声選択分離回路２１，２２，２３を含む。
【００３９】
１２は映像音声データを一時的に記録する記憶装置、１３は３つの映像音声選択分離回路２１、２２、２３からの映像音声データの記憶装置１２への書き込みと再生する映像音声データの記憶装置１２からの読み出しを制御する記録制御回路、１４は３つの映像音声選択分離回路２１、２２、２３のうちの１つから入力される映像音声データもしくは記録制御回路１３によって読みだされた映像音声データを再生する再生制御回路、１５は３つのタイムシフトされた放送から記憶装置１２に記録されている３つの映像音声データを管理する映像音声管理回路であり、各シフトにおいてタイムシフトの間隔以上の映像音声データを蓄積すれば、それらをつなぎ合わせてあたかも１つの連続した映像音声データとして記憶装置１２から再生できる。本発明の特殊再生制御手段は、再生制御回路１４を含み、本発明の記録制御手段は、記録制御回路１３および映像音声管理回路１５を含む。
【００４０】
次に、以上の構成において、図８、図９、図１０を用いて、本実施例の動作を説明する。
【００４１】
図８では、放送シフト０に対する放送シフト１、および放送シフト２の伝送の遅れは、それぞれ２０分、４０分である。
【００４２】
この時、映像音声選択分離回路２１、映像音声選択分離回路２２、映像音声選択分離回路２３はそれぞれ放送シフト０、放送シフト１、放送シフト２を受信しているとする。
【００４３】
記録制御回路１３は随時映像音声選択回路２１、映像音声選択分離回路２２、映像音声選択分離回路２３からの映像音声データを記憶装置１２へ記録する。利用者は番組Ａの最初の２０分は実時間で視聴している。この時、再生制御回路１４は映像音声選択分離回路２１からの映像音声データを再生する。次に利用者は１０分間視聴を中断し、その後中断したところから視聴を再開する。この時、再生制御回路１４は記録制御回路１３が読みだす１０分前に記録された映像音声データを再生する。次に利用者は再度２０分間視聴を中断し、その後中断したところから視聴を再開する。この時、視聴している映像音声の放送シフト０に対する遅れは３０分になり、放送シフト０と放送シフト１の間の遅れの２０分より大きくなり、記録制御回路１３は放送シフト１より記録した映像音声データを再生する。次に利用者は再度２０分視聴を中断し、その後中断したところから視聴を再開する。この時、視聴している映像音声の放送シフト０に対する遅れは５０分になり、放送シフト０と放送シフト２の間の遅れの４０分より大きくなり、記録制御回路１３は放送シフト２より記録した映像音声データを再生する。
【００４４】
図９では、放送シフト０に対する放送シフト１、および放送シフト２の伝送の遅れは、それぞれ２０分、４０分である。
【００４５】
この時、映像音声選択分離回路２１、映像音声選択分離回路２２、映像音声選択分離回路２３はそれぞれ放送シフト０、放送シフト１、放送シフト２を受信しているとする。
【００４６】
記録制御回路１３は随時映像音声選択回路２１、映像音声選択分離回路２２、映像音声選択分離回路２３からの映像音声を記憶装置１２へ記録する。利用者は番組Ａが放送シフト０で始まってから５０分後に視聴を開始している。そこで、利用者はすべて２倍速再生で視聴することにした。この時、番組Ａの最初の２０分は放送シフト２から蓄積されたもので視聴できるが、続く４０分分の映像音声は放送シフト２では放送されておらず、記録制御回路１３は放送シフト１から記録された映像音声を再生する。さらに、続く４０分分の映像音声は放送シフト１でも放送されておらず、記録制御回路１３は放送シフト０から記録された映像音声データを再生する。
【００４７】
図１０では、放送シフト０に対する放送シフト１、および放送シフト２の伝送の遅れは、それぞれ２０分、４０分である。
【００４８】
この時、映像音声選択分離回路２１、映像音声選択分離回路２２、映像音声選択分離回路２３はそれぞれ放送シフト０、放送シフト１、放送シフト２を受信しているとする。
【００４９】
記録制御回路１３は随時映像音声選択回路２１、映像音声選択分離回路２２、映像音声選択分離回路２３からの映像音声を記憶装置１２へ記録する。利用者は番組Ａが放送シフト０で始まってから５０分のところから逆再生で視聴している。この時、５０分目から４０分目までは放送シフト０を逆再生し、４０分目から３０分目までは放送シフト１を逆再生し、３０分目から２０分目までは放送シフト２を逆再生することで、それぞれのシフトに割り当てる記憶装置の容量はそれぞれのタイムシフトの間隔と同じで良い。
【００５０】
このように、本実施例によれば、タイムシフト型ニアオンデマンドシステム上でビデオオンデマンドとほぼ同一の機能が提供できる。
【００５１】
次に、図１１は本発明の請求項２〜４にかかる一実施例の映像音声端末装置のブロック図であり、同図を参照しながら本実施例の構成について説明する。
【００５２】
同図において、３１、３２は伝送路から所望の映像音声データを選択して分離する映像音声選択分離回路である。それぞれが選択分離する映像音声データをおのおの映像音声データ３１ａ、映像音声データ３２ａとすると、映像音声データ３１ａ、映像音声データ３２ａは同一の番組のタイムシフトされた映像音声である。
【００５３】
１２は映像音声データを一時的に記録する記憶装置、１３は映像音声選択分離回路１１からの映像音声データの記憶装置１２への書き込みと再生する映像音声データの記憶装置１２からの読み出しを制御する記録制御回路、１４は映像音声入力部１０から入力される映像音声データもしくは記録制御回路１３によって読みだされた映像音声データを再生する再生制御回路、１５は２つのタイムシフトされた放送から記憶装置１２に記録されている２つの映像音声データを管理する映像音声管理回路であり、そのうち一方の映像音声データは視聴中の映像音声データを得ている放送タイムシフトからとし、もう一方をそれに対して前のシフトの映像音声であるように切り替える手段を有する。
【００５４】
ここで再び図９を見てみると、早送り視聴シフト２から早送り視聴シフト１に切り替わったときに放送シフト２の受信から放送シフト０の受信に切り替えれば、即ち再生視聴している放送シフト１に対し、もう一方の映像音声選択分離回路によって選択分離される映像音声が前のシフトであるように切り替えればその後の早送り視聴シフト１から早送り視聴シフト０への切り替えも実現できる。同様に図８の場合でも、視聴している映像音声の放送シフト０に対する遅れが、放送シフト２の放送シフト０に対する遅れより大きくなる時点で一方の映像音声選択分離回路の選択分離する映像音声を放送シフト０から放送シフト２に切り替えれば映像音声選択分離回路や記憶装置を３シフト分以上持つ必要はない。
【００５５】
次に図１２を用いて第１１図で示した映像音声端末装置のより具体的な動作を示す。
【００５６】
図１２では、放送シフト０に対する放送シフト１の伝送の遅れは、２０分である。この時、映像音声選択分離回路３１、映像音声選択分離回路３２はそれぞれ放送シフト０、放送シフト１を受信しているとする。
【００５７】
記録制御回路１３は随時映像音声選択回路３１、映像音声選択分離回路３２からの映像音声を記憶装置１２へ記録する。利用者は番組Ａの最初の２０分は実時間で視聴している。この時、再生制御回路１４は映像音声選択分離回路２１からの映像音声データを再生する。次に利用者は３０分間視聴を中断し、その後中断したところから視聴を再開する。この時、再生制御回路１４は記録制御回路１３が読みだす１０分前に放送シフト１を受信している映像音声選択分離回路３２から記録された映像音声データを再生する。次に利用者は２０分間時差視聴し、その後４０分分の映像音声を２倍速視聴する。この時、視聴している映像音声の放送シフト０に対する遅れは３０分から１０分になり、放送シフト０と放送シフト１の間の遅れの２０分より小さくなり、記録制御回路１３は早送り再生の途中で放送シフト１より記録された映像音声データから放送シフト０より記録された映像音声データに切り替える。次に利用者は２０分時差視聴し、その後再び２０分分の映像音声を２倍速視聴して実時間視聴に復帰する。
【００５８】
このように、本実施例によれば、スポーツ中継などのライブ番組では、遅れて視聴を始めても終了時までには実時間の番組を試聴できるなど、簡単な構成でビデオオンデマンド以上の効果が実現できる。
【００５９】
尚、上記実施例では、伝送信号が映像音声信号である場合について説明したが、これに限らず、例えば、伝送信号が映像信号であってももちろんよい。
なお、上述したような本発明では、例えば、記憶装置が、伝送されてくる映像信号を記録し、記録制御手段が、前記伝送信号の再生が中断された後は、その伝送信号を前記記憶装置に記録し、その後前記中断が解除された後は、その記録信号を出力し、且つ引続き前記伝送信号を前記記憶装置に記録し、再生制御手段が、前記伝送信号及び前記記録制御手段から出力される記録信号を入力し、前記再生の中断がなされるまでは前記伝送信号を、又、前記再生の中断解除後は前記記録信号を、前記再生を行う再生装置へ出力する。
これにより、例えば、簡単な構成で利用者の要求である、すべての場面を見逃さずに見ることと、早送り再生などによって時差視聴から回復することの手段を提供し、利用者の情報のリアルタイム性への要求に大きく貢献する。
また、上述したような本発明では、例えば、選択・分離手段が、内容が相互に所定の時間的ずれを有しながら伝送されてくる複数の映像信号から、所定の一つの映像信号を選択・分離し、出力し、記憶装置が前記所定の一つの映像信号を記録し、記録制御手段が、前記所定の一つの映像信号の再生が中断された後は、前記選択・分離手段により出力される所定の一つの映像信号を前記記憶装置に記録し、その後前記中断が解除された後は、その記録信号を出力し、且つ引続き前記一つの映像信号を前記記憶装置に記録し、再生制御手段が、前記所定の一つの映像信号及び前記記録制御手段から出力される記録信号を入力し、前記再生の中断がなされるまでは前記所定の一つの映像信号を、又、前記再生の中断解除後は前記記録信号を、前記再生を行う再生装置へ出力し、管理手段は、前記再生の中断中、前記所定の一つの映像信号とそれより前記時間的に遅れて伝送されてくる他の一つの映像信号との遅れ時間の値に基づいて、前記記録信号と内容が同一の映像信号が前記他の一つの映像信号から得られると判断した場合、前記他の一つの映像信号を前記所定の一つの映像信号として出力すべき旨を前記選択・分離手段に対して指示し、且つ前記記録制御手段に対してその出力された映像信号を前記記録信号の上にオーバーライトする旨を指示する。
また、上述したような本発明では、例えば、同一内容の少なくとも２つの映像信号が所定間隔の時差をもって伝送されている伝送路に接続された映像信号端末装置において、第１の手段が、前記伝送されてくる複数の映像信号から、少なくとも２つの前記時差のある同一映像信号を選択して分離し、各々出力し、記録装置が、その第１の手段から出力される各々の信号を少なくとも第１映像信号、第２映像信号として各々記録し、第２の手段が、前記第１の手段から出力される映像信号及び前記記憶装置に記録された映像信号から、所定の映像信号を再生し、第３の手段が、前記記憶装置に記録される少なくとも第１映像信号と第２映像信号との相互の内容の連続性を管理し、前記記録された複数の映像信号を用いて、それらの内容が連続するように再生する。
また、上述したような本発明では、例えば、同一内容の少なくとも２つの映像信号がある間隔の時差をもって伝送されている伝送路に接続された映像信号端末装置において、第１の手段が、前記伝送されてくる複数の映像信号から、２つの前記時差のある同一映像信号を選択して分離し、各々出力し、記録装置が、その第１の手段から出力される各々の信号を第１映像信号、第２映像信号として各々記録し、第２の手段が、その第１の手段から出力される映像信号及び前記記憶装置に記録された映像信号から、所定の映像信号を再生し、第３の手段が、前記記憶装置に記録される前記第１映像信号と第２映像信号との相互の連続性を管理し、前記第１映像信号及び前記第２映像信号のうち一方が再生されているとき、他方の映像信号は前記一方より前記時差だけ先に伝送されている映像信号となるように調整されている。
【００６０】
【発明の効果】
以上、詳細に説明してきたところから明らかなように本発明は、インフラにかかるコストを従来に比べてより一層抑えることが出来、しかもビデオオンデマンドの機能を従来に比べてより一層簡易的に実現出来るという長所を有する。
【図面の簡単な説明】
【図１】本発明にかかる一実施例の映像音声端末装置のブロック図
【図２】同実施例の映像音声端末装置の動作を示すタイムテーブルの図
【図３】同実施例の映像音声端末装置の動作を示すタイムテーブルの図
【図４】同実施例の映像音声端末装置の動作を示すタイムテーブルの図
【図５】本発明にかかる一実施例の映像音声端末装置のブロック図
【図６】同実施例の映像音声端末装置の動作を示すタイムテーブルの図
【図７】本発明にかかる一実施例の映像音声端末装置のブロック図
【図８】同実施例の映像音声端末装置の動作を示すタイムテーブルの図
【図９】同実施例の映像音声端末装置の動作を示すタイムテーブルの図
【図１０】同実施例の映像音声端末装置の動作を示すタイムテーブルの図
【図１１】本発明にかかる一実施例の映像音声端末装置のブロック図
【図１２】同実施例の映像音声端末装置の動作を示すタイムテーブルの図
【符号の説明】
１０    映像音声入力部
１１    映像音声制御回路
１２    記憶装置
１３    記録制御回路
１４    再生制御回路
１５    映像音声管理回路
【図１】
0003556705.tif 000002
【図２】
0003556705.tif 000003
【図３】
0003556705.tif 000004
【図４】
0003556705.tif 000005
【図５】
0003556705.tif 000006
【図６】
0003556705.tif 000007
【図７】
0003556705.tif 000008
【図８】
0003556705.tif 000009
【図９】
0003556705.tif 000010
【図１０】
0003556705.tif 000011
【図１１】
0003556705.tif 000012
【図１２】
0003556705.tif 000013